(57)【要約】【課題】無線セルラー通信システムにおいてＡＲＱ−インターレースを用いるためにユーザーを割り当てる方法および装置【解決手段】複数のインターレースを用いるために複数のユーザー端末にインターレースプレファレンスファクターを選択的に割り当てる方法および装置。前記方法および装置は、各ユーザー端末がすべてのインターレースにおいてデータを送信することを許容するシステムと比較して容量を増大させることができる。【選択図】        図４
2008516526.tif 000002
【特許請求の範囲】
【請求項１】
第１のインターレースに関するインターレースプレファレンスファクターを決定することであって、前記インターレースプレファレンスファクターは、第１の端末が前記第１のインターレースにおいて第２の端末にデータを送信する確率を表すことと、
前記第１のインターレースに関する前記インターレースプレファレンスファクターに基づいて、前記第１のインターレースにおいて前記第１の端末から前記第２の端末にデータを送信するかどうかを決定すること、とを具備する方法。
【請求項２】
前記第１の端末はユーザー端末であり、前記第２の端末は基地局である請求項１に記載の方法。
【請求項３】
前記インターレースプレファレンスファクターは、０及び１を含む０乃至１の間の数値を具備する請求項１に記載の方法。
【請求項４】
第２のインターレースに関するインターレースプレファレンスファクターを決定することと、
前記第２のインターレースに関する前記インターレースプレファレンスファクターに基づいて、前記第２のインターレースにおいて前記第１の端末から前記第２の端末にデータを送信するかどうかを決定すること、とをさらに具備する請求項１に記載の方法。
【請求項５】
前記第１のインターレースに関する前記インターレースプレファレンスファクターを決定することは、前記第２の端末からメッセージを受信することを具備する請求項１に記載の方法。
【請求項６】
前記第１のインターレースに関する前記インターレースプレファレンスファクターを決定することは、メモリに格納された値を検索することを具備する請求項１に記載の方法。
【請求項７】
前記第１のインターレースにおいてデータを送信するかどうかを決定することは、無作為に数字を生成することを具備する請求項１に記載の方法。
【請求項８】
時間が経過しているかどうかを決定することと、
前記時間が経過していない場合は、前記第１のインターレースにおいてデータを送信し続けることと、
前記時間が経過している場合は、前記第１のインターレースにおいて前記第１の端末から前記第２の端末にデータを送信するかどうかを決定すること、とをさらに具備する請求項１に記載の方法。
【請求項９】
前記第１のインターレースに関する他のインターレースプレファレンスファクターを決定することをさらに具備する請求項８に記載の方法。
【請求項１０】
前記第２の端末は１つ以上のパケットが正確に復号されたことを示すための肯定応答を送信したかどうかを決定することと、
前記第２の端末が肯定応答を送信していない場合は、前記第１のインターレースにおいてデータを送信し続けることと、
前記第２の端末が肯定応答を送信した場合は、前記第１のインターレースにおいて前記第１の端末から前記第２の端末にデータを送信するかどうかを決定すること、とをさらに具備する請求項１に記載の方法。
【請求項１１】
前記第１のインターレースに関する他のインターレースプレファレンスファクターを決定することをさらに具備する請求項１０に記載の方法。
【請求項１２】
前記第１のインターレースにおいてデータを送信することは、符号分割多重接続チャネルを使用する請求項１に記載の方法。
【請求項１３】
第１のインターレースに関する第１のインターレースプレファレンスファクターを第１のユーザー端末に割り当てることと、
第２のインターレースに関する第２のインターレースプレファレンスファクターを前記第１のユーザー端末に割り当てることと、
前記割り当てられた第１及び第２のインターレースプレファレンスファクターを前記第１のユーザー端末に知らせるためのメッセージを送信すること、とを具備する方法。
【請求項１４】
前記第１及び第２のインターレースプレファレンスファクターは、０乃至１の間の数値を各々具備する請求項１３に記載の方法。
【請求項１５】
前記第１の端末を含む少なくとも２つのユーザー端末から符号分割多重接続チャネルを介して前記第１及び第２のインターレースにおけるデータを受信することをさらに具備する請求項１３に記載の方法。
【請求項１６】
Ｋのユーザー端末及びＭのインターレースを有するシステムに関して、約Ｋ／Ｍのユーザー端末が各インターレースに割り当てられるように複数のインターレースプレファレンスファクターを割り当てることをさらに具備する請求項１３に記載の方法。
【請求項１７】
前記第１のユーザー端末が前記第１のインターレースにおいてデータを送信することを許容される唯一のユーザー端末であるようにするために前記第１のインターレースに関するゼロのインターレースプレファレンスファクターを少なくとも第２のユーザー端末に割り当てることをさらに具備する請求項１３に記載の方法。
【請求項１８】
前記第２のユーザー端末が前記第１のインターレースにおいてデータを送信することが許容される唯一のユーザー端末であるようにするために前記インターレースプレファレンスファクターを変更することをさらに具備する請求項１７に記載の方法。
【請求項１９】
前記受信信号を用いてハイブリッド自動再送要求（Ｈ−ＡＲＱ）を実行することをさらに具備する請求項１３に記載の方法。
【請求項２０】
前記第１のユーザー端末の前記第１のインターレースに関する前記第１のインターレースプレファレンスファクターを変更することと、
前記変更された第１のインターレースプレファレンスファクターを前記第１のユーザー端末に知らせるためのメッセージを送信すること、とをさらに具備する請求項１３に記載の方法。
【請求項２１】
複数のユーザー端末から無線送信された信号を受信することと、
前記複数のユーザー端末に関する信号・干渉・雑音比を決定することと、
前記決定された信号・干渉・雑音比に基づくインターレースプレファレンスファクターを前記複数のユーザー端末に割り当てること、とをさらに具備する請求項１３に記載の方法。
【請求項２２】
前記受信信号の少なくとも一部は、符号分割多重接続信号を具備する請求項２１に記載の方法。
【請求項２３】
無線送信された信号を受信することは、共通符号分割多重接続チャネルにおいて無線信号を受信することを具備する請求項２１に記載の方法。
【請求項２４】
前記信号は、データパケットを具備する請求項２１に記載の方法。
【請求項２５】
複数のユーザー端末のうちのいずれかのユーザー端末が互いに最も強く干渉する信号を送信するかを決定することと、
後続信号を送信するための異なるインターレースを用いるために互いに最も強く干渉する信号を送信する前記ユーザー端末にインターレースプレファレンスファクターを割り当てることと、
前記割り当てられたインターレースを前記ユーザー端末に知らせるためのメッセージを前記ユーザー端末に送信すること、とをさらに具備する請求項１３に記載の方法。
【請求項２６】
Ｌのユーザー端末が存在し、Ｌは少なくとも３の整数であって、
前記Ｌのユーザー端末のうちで、互いの信号と最も強く干渉する信号を送信するＭのユーザー端末を決定することであって、Ｍは少なくとも２の整数であることと、
後続信号を送信するためのＭの異なるインターレースを用いるためにインターレースプレファレンスファクターを前記Ｍのユーザー端末に割り当てることと、
１つ以上の残りの割り当てられていないＬのユーザー端末が最も弱く干渉するインターレースを使用するために前記１つ以上の残りの割り当てられていないＬのユーザー端末にインターレースプレファレンスファクターを割り当てることと、
前記割り当てられたインターレースを知らせるためのメッセージを前記ユーザー端末に送信すること、とをさらに具備する請求項２５に記載の方法。
【請求項２７】
Ｎが少なくとも２の整数である場合は、Ｌ−Ｍ＝Ｎであり、
Ｎの割り当てられていないユーザー端末のうちで互いに最も強く干渉する信号を送信するＰのユーザー端末を決定することと、
前記Ｐのユーザー端末のうちのいずれか１つのユーザー端末が前記Ｍのインターレースと最も強く干渉する信号を送信するかを決定することと、
前記Ｍのインターレースと異なるインターレースを使用するために、前記Ｐのユーザー端末のうちで最も強く干渉する信号を送信する前記１つのユーザー端末にインターレースプレファレンスファクターを割り当てること、とをさらに具備する請求項２６に記載の方法。
【請求項２８】
互いの信号と最も強く干渉するＭのユーザー端末を決定することは、各ユーザー端末によって得られた信号・干渉・雑音比を、その他の１つのユーザー端末からの干渉を抑止することによって前記ユーザー端末を取り除くことによって見つけ出すことと、前記信号・干渉・雑音比を比較すること、とを具備する請求項２６に記載の方法。
【請求項２９】
前記メッセージは、各ユーザー端末に割り当てられた１つ以上のインターレースの指定されたタイムスロットのみにおいて符号分割多重接続チャネルで信号を送信するために前記各ユーザー端末に通知すること、とを具備する請求項２６に記載の方法。
【請求項３０】
多セクター基地局の各セクターに関する前記決定及び割当てを繰り返すことをさらに具備する請求項２５に記載の方法。
【請求項３１】
各インターレースは、一つのシーケンスのタイムスロットを具備し、各インターレースの前記タイムスロットは、その他のインターレースのタイムスロットと互い違いに配置されている請求項２５に記載の方法。
【請求項３２】
各インターレースは、互い違いに配置されているタイムスロットのグループを具備し、各グループは、定義された整数の数のタイムスロットを具備し、前記整数は少なくとも２である請求項３１に記載の方法。
【請求項３３】
前記ユーザー端末による符号分割多重接続信号の送信を同期化することをさらに具備する請求項２６に記載の方法。
【請求項３４】
データを遠隔局に送信するための送信機と、
第１のインターレースに関するインターレースプレファレンスファクターであって、前記送信機が前記第１のインターレースにおいて前記遠隔局にデータを送信する確率を表すインターレースプレファレンスファクターを決定するためのプロセッサと、を具備し、前記第１のインターレースに関する前記インターレースプレファレンスファクターに基づき、前記プロセッサは、前記送信機が前記第１のインターレースにおいて前記ユーザー端末から前記基地局にデータを送信するかどうかを決定するように構成される、装置。
【請求項３５】
前記インターレースプレファレンスファクターは、０乃至１の間の数値を具備する請求項３４に記載の装置。
【請求項３６】
前記インターレースプレファレンスファクターを格納するためのメモリをさらに具備する請求項３４に記載の装置。
【請求項３７】
前記送信機は、符号分割多重接続チャネルを用いて前記第１のインターレースにおいてデータを送信するように構成される請求項３４に記載の装置。
【請求項３８】
第１のインターレースに関する第１のインターレースプレファレンスファクターを第１のユーザー端末に割り当てさらに第２のインターレースに関する第２のインターレースプレファレンスファクターを前記第１のユーザー端末に割り当てるためのプロセッサと、
前記割り当てられた第１及び第２のインターレースプレファレンスファクターを示すメッセージを前記第１のユーザー端末に送信するための送信機と、を具備する装置。
【請求項３９】
前記第１及び第２のインターレースプレファレンスファクターは、０乃至１の間の数値を各々具備する請求項３８に記載の装置。
【請求項４０】
前記第１及び第２のインターレースにおけるデータを、符号分割多重接続チャネルを介して前記第１のユーザー端末を含む少なくとも２つのユーザー端末から受信するための受信機をさらに具備する請求項３８に装置。
【請求項４１】
複数のユーザー端末から無線送信された信号を処理するための受信機と、
前記受信された信号の信号・干渉・雑音比を推定するためのチャネル推定器と、をさらに具備し、前記プロセッサは、前記決定された信号・干渉・雑音比に基づいたインターレースプレファレンスファクターを前記複数のユーザー端末に割り当てるように構成される請求項３８に記載の装置。
【請求項４２】
前記プロセッサは、(a)  いずれかのユーザー端末が互いに最も強く干渉する信号を送信したかを決定するように、及び（ｂ）後続信号を送信するための異なるインターレースを用いるために互いに最も強く干渉する信号を送信したユーザー端末にインターレースプレファレンスファクターを割り当てるように構成される請求項４１に記載の装置。
【請求項４３】
前記複数のユーザー端末から無線送信された前記信号を受信するための最小平均二乗誤差アンテナアレイをさらに具備する請求項３４に記載の装置。
【請求項４４】
前記チャネル推定器は、各ユーザー端末によって得られた信号・干渉・雑音比をその他の１つのユーザー端末を取り除くことによって見つけ出し、前記プロセッサは、前記信号・干渉・雑音比を比較する請求項３４に記載の装置。
【請求項４５】
受信された符号分割多重接続信号を復調するための復調器をさらに具備する請求項３４に記載の装置。
【請求項４６】
(a)  いずれかのユーザー端末が互いの信号と最も強く干渉する信号を送信したかを決定し、さらに（ｂ）後続信号を送信するための異なるインターレースを用いるために互いの信号と最も強く干渉する信号を送信した前記ユーザー端末を割り当てるためのプロセッサを具備する装置。
【発明の詳細な説明】
【技術分野】
【０００１】
本開示は、一般的には、データ通信に関するものである。本開示は、より具体的には、無線セルラー通信システムにおいてインターレースを用いるためにユーザーを割り当てる方法および装置に関するものである。
【背景技術】
【０００２】
無線通信システムは、音声、パケットデータ、映像、等の様々な型の通信を提供することを目的として広範囲にわたって採用されている。これらのシステムは、符号分割多重接続（ＣＤＭＡ）、時分割多重接続（ＴＤＭＡ）、又はその他の幾つかの多重接続方式に基づくことができる。ＣＤＭＡシステムは、その他の型のシステムよりも有利な幾つかの事柄、例えばシステム容量の増大、を提供することができる。ＣＤＭＡは、典型的には、１つ以上の公に知られる基準、例えばＩｎｔｅｒｉｍ  Ｓｔａｎｄａｒｄ  ９５（ＩＳ−９５）、ＣＤＭＡ２０００、ＩＳ−８５６、ワイドバンドＣＤＭＡ（ＷＣＤＭＡ）、及び時分割−同期ＣＤＭＡ（ＴＤ−ＳＣＤＭＡ）、を実装するように設計されている。
【発明の開示】
【発明が解決しようとする課題】
【０００３】
ユーザー端末から基地局に送信される信号は、該信号が符号分割多重接続（ＣＤＭＡ）信号である場合でも、その他のユーザー端末から基地局に送信される信号に干渉する働きをすることがある。
【課題を解決するための手段】
【０００４】
本明細書においては、複数のタイムスロットインターレースにおいてデータを送信するために複数のユーザー端末を選択的に割り当てる方法および装置が説明される。これらの方法および装置は、各ユーザー端末がすべてのインターレースにおいてデータを送信することを許容する符号分割多重接続（ＣＤＭＡ）システムと比較して逆方向リンク（ＲＬ）容量を増大させることができる。
【０００５】
一実施形態においては、各ユーザー端末は、インターレースプレファレンスファクター（ＩＰＦ）を各インターレースに関して割り当てることができる。例えば、３つのインターレースが存在する場合は、各ユーザー端末には、３つのＩＰＦを各インターレースに１つずつ割り当てることができる。ＩＰＦは、ユーザー端末が特定のインターレースにおいてデータを送信する確率を表す。各ＩＰＦは、０、１又は０と１の間の値に設定することができる。基地局は、ＩＰＦをユーザー端末に割り当てることができさらにチャネル状態が変化するか又は一定の時間が経過した場合にＩＰＦを変更することもできる。確率的な性格を保持するために複数のユーザー端末に関するＩＰＦ値を割り当てることは、性能を向上させることができる。
【０００６】
一方法は、第１のインターレースに関するインターレースプレファレンスファクターを決定することを具備する。インターレースプレファレンスファクターは、第１の端末が第１のインターレースにおいて第２の端末にデータを送信する確率を表す。前記方法は、前記第１のインターレースに関する前記インターレースプレファレンスファクターに基づき、前記第１のインターレースにおいて前記第１の端末から前記第２の端末にデータを送信すべきかどうかを決定する。
【０００７】
他の方法は、第１のインターレースに関する第１のインターレースプレファレンスファクターを第１のユーザー端末に割り当てることと、第２のインターレースに関する第２のインターレースプレファレンスファクターを前記第１のユーザー端末に割り当てることと、前記割り当てられた第１及び第２のインターレースプレファレンスファクターを前記第１のユーザー端末に知らせるためのメッセージを送信すること、とを具備する。
【０００８】
一装置は、送信機と、プロセッサと、を具備する。前記送信機は、遠隔局にデータを送信するように構成される。前記プロセッサは、第１のインターレースに関するインターレースプレファレンスファクターを決定するように構成される。前記インターレースプレファレンスファクターは、前記送信機が前記第１のインターレースにおいて前記遠隔局にデータを送信する確率を表す。前記プロセッサは、前記第１のインターレースに関する前記インターレースプレファレンスファクターに基づき、前記送信機が前記第１のインターレースにおいてユーザー端末から基地局にデータを送信するかどうかを決定するように構成される。
【０００９】
他の装置は、プロセッサと、送信機と、を具備する。前記プロセッサは、第１のインターレースに関する第１のインターレースプレファレンスファクターを第１のユーザー端末に割り当てるように及び第２のインターレースに関する第２のインターレースプレファレンスファクターを前記第１のユーザー端末に割り当てるように構成される。前記送信機は、前記割り当てられた第１及び第２のインターレースプレファレンスファクターを示すメッセージを前記第１のユーザー端末に送信するように構成される。
【００１０】
以下では、本発明の様々な側面、実施形態、及び特長がさらに詳細に説明される。
【００１１】
本出願の特長、性質、及び利点は、下記の発明を実施するための最良の実施形態に関する説明と図面を併用することでさらに明確になる。同一のものについては図面全体に渡って同一の参照符号を付すこととする。
【発明を実施するための最良の形態】
【００１２】
図１は、アクセス端末、ＡＴ、遠隔局、移動装置、携帯電話、移動端末、モバイルデバイス、セル電話、等、と呼ばれることもある幾つかのユーザー端末１０６Ａ乃至１０６Ｈをサポートする無線通信システム１００を示す。本明細書において説明される様々な側面及び実施形態は、システム１００とともに実装することができる。システム１００は、幾つかのセルに関する通信を提供し、各セルは、対応する基地局１０４と交信する。基地局は、基地局トランシーバシステム（ＢＴＳ）、アクセスポイント、又はノードＢと呼ばれることもある。ユーザー端末１０６Ａ乃至１０６Ｈは、システム１００全体に分散させることができる。各ユーザー端末１０６は、ユーザー端末１０６がアクティブ状態であるかどうか又はユーザー端末１０６がソフトハンドオフ状態にあるかどうかに依存して、いずれかの所定の時点において順方向リンク及び逆方向リンクで１つ以上の基地局１０４と通信することができる。順方向リンク（ＦＬ）（すなわちダウンリンク）は、基地局１０４からユーザー端末１０６への送信を意味する。逆方向リンク（ＲＬ）（すなわちアップリンク）は、ユーザー端末１０６から基地局１０４への通信を意味する。
【００１３】
システム１００において、システムコントローラ１０２（基地局コントローラ（ＢＳＣ）とも呼ばれる）は、システムコントローラ１０２に結合された基地局１０４に関する調整及び制御を提供することができ、及び結合された１０４を介してのユーザー端末１０６への呼のルーティングをさらに制御することができる。システムコントローラ１０２は、移動通信交換局（ＭＳＣ）を介して公衆交換電話網（ＰＳＴＮ）にさらに結合させること及びパケットデータサービングノード（ＰＤＳＮ）を介してパケットデータネットワークにさらに結合させることが可能である。システム１００は、１つ以上のＣＤＭＡ基準、例えば、ＩＳ−９５、ＣＤＭＡ２０００、ＣＤＭＡ  ２０００  １ｘＥＶ−ＤＶ、ＣＤＭＡ  ２０００  １ｘＥＶ−ＤＯ（ＩＳ−８５６）、ＷＣＤＭＡ、ＴＤ−ＳＣＤＭＡ、ＴＳ−ＣＤＭＡ、又はその他の幾つかのＣＤＭＡ基準、をサポートするように設計することができる。
【００１４】
本開示の様々な側面及び実施形態は、様々な無線通信システムにおける順方向リンク及び逆方向リンクに適用することができる。一例として、ＣＤＭＡ  ２０００  １ｘＥＶ−ＤＯ逆方向リンクに関するインターレース割当て技術が以下において説明される。
【００１５】
図２は、ユーザー端末１０６及び基地局１０４の実施形態の単純化されたブロック図である。逆方向リンクにおいて、端末１０６のデータ源２１２は、様々な型の各ユーザーごとのデータ、メッセージ、等を送信（ＴＸ）データプロセッサ２１４に提供する。ＴＸデータプロセッサ２１４は、１つ以上の符号化方式に基づいてこれらの異なる型のデータをフォーマット化及び符号化して符号化されたデータを提供する。各符号化方式は、巡回冗長検査（ＣＲＣ）、畳み込み符号化、ターボ符号化、ブロック符号化、その他の型の符号化のあらゆる組合せを含めること、又は符号化をまったく含めないことができる。フェージングに対処するために誤り訂正符号が用いられるときにはインターリービングを利用することができる。その他の符号化方式は、自動再送要求（ＡＲＱ）と、ハイブリッドＡＲＱ（下記）と、増分的冗長性反復技術（incremental redundancy repeat technique）と、を含むことができる。典型的には、異なる型のデータが異なる符号化方式によって符号化される。
【００１６】
変調器（ＭＯＤ）２１６は、パイロットデータ及び符号化されたデータをＴＸデータプロセッサ２１４から受け取り、前記受け取ったデータをさらに処理して変調されたデータを生成する。次に、逆方向リンク変調信号が、アンテナ２２０を介して無線通信リンクを通じて１つ以上の基地局１０４に送信される。
【００１７】
基地局１０４の１本以上のアンテナ２５０Ａ乃至２５０Ｌは、幾つかの端末１０６から逆方向リンク変調信号を受信する。複数のアンテナ２５０Ａ乃至２５０Ｌは、フェージング等の経路上の悪影響に対する空間ダイバーシティを提供するために用いることができる。一例として、基地局は、６本のアンテナを含めること及び各セクターごとに２本のアンテナを用いて３つのセクターをサポートすることができる。基地局１０４においてはあらゆる数のアンテナ及びセクターを採用することができる。各アンテナ２５０は、複数のアンテナ素子を有することができる。
【００１８】
各受信信号は、各々の受信機（ＲＣＶＲ）２５２に提供され、受信機（ＲＣＶＲ）２５２は、受信信号をコンディショニング（フィルタリング、増幅、ダウンコンバージョン、等）及びデジタル化して前記受信信号に関するデータサンプルを生成する。
【００１９】
復調器（ＤＥＭＯＤ）２５４は、すべての受信信号に関するデータサンプルを受け取って処理して復元されたデータを提供する。ＣＤＭＡ２０００に関しては、特定の端末からのデータ送信を復元するための復調器２５４による処理は、（１）端末においてデータを拡散するために用いられた拡散シーケンスと同じ拡散シーケンスを用いてデータサンプルを逆拡散することと、（２）逆拡散されたサンプルをチャネル化して受信データ及びパイロットを隔離するか又は各々の符号チャネル上にチャネル化することと、（３）チャネル化されたデータを復元されたパイロットを用いてコヒーレントに復調して復調データを提供すること、とを含む。復調器２５４は、幾つかの端末の各々に関する複数の信号インスタンスを処理するためにレーク受信機を実装することができる。
【００２０】
受信（ＲＸ）データプロセッサ２５６は、各端末１０６に関する復調データを受け取って復号し、逆方向リンクにおいて端末１０６によって送信された各々のユーザーごとのデータ及びメッセージを復元させる。復調器２５４及びＲＸデータプロセッサ２５６による処理は、端末１０６における変調器２１６及びＴＸデータプロセッサ２１４によって行われる処理を補完するものである。
【００２１】
パケット及びサブパケット
データ源２１２からのデータパケットのビットは、基地局１０４に送信するためにプロセッサ２１４（及び／又は変調器２１６）によって反復させて処理して複数の対応するサブパケットにすることができる。基地局１０４が信号・雑音比の高い信号を受信する場合は、第１のサブパケットは、基地局１０４が原データパケットを復号して導出することができる十分な情報を含むことができる。
【００２２】
例えば、データ源２１２からのデータパケットは、プロセッサ２１４によって反復させて処理して４つのサブパケットにすることができる。ユーザー端末１０６は、第１のサブパケットを基地局１０４に送信する。基地局１０４は、第１の受信されたサブパケットから原データパケットを正確に復号及び導出する確率が相対的に低い場合がある。しかしながら、基地局１０４が第２、第３及び第４のサブパケットを受信して各受信したサブパケットから導出された情報を結合させるのに従って、原データパケットを復号して導出する確率が上昇する。基地局１０４が（例えば巡回冗長検査（ＣＲＣ）又はその他の誤り検出方式を用いて）原パケットを正確に復号次第、基地局１０４は、サブパケットの送信を停止するための応答信号をユーザー端末１０６に送信する。これで、ユーザー端末１０６は、新たなパケットの第１のサブパケットを送信することができる。
【００２３】
通信システム１００におけるユーザー端末１０６（又は基地局１０４）内の送信機は、時間インターレーシング構造でパケットを基地局１０４（又はユーザー端末１０６）内の受信機に送信することができる。
【００２４】
図３は、（例えば、１ｘＥＶ−ＤＯ Ｒｅｖｉｓｉｏｎ  Ａ  ＲＬデータチャネルに関する）逆方向リンク（ＲＬ）インターレーシング構造３００及び（例えば、１ｘＥＶ−ＤＯ  ＦＬ  ＡＲＱチャネルに関する）対応する順方向リンク（ＦＬ）インターレーシング構造３２０の例を示す。インターレーシング構造３００は、３つのインターレース１、２及び３を有するが、後述される技術を用いてあらゆる数のインターレースを実装することができる。各インターレースは、一組の時間的にずらされたセグメントを具備する。この例においては、各セグメントは、長さが４つのタイムスロットである。各セグメント中には、ユーザー端末１０６は、基地局１０４にサブパケットを送信することができる。３つのインターレースが存在しさらに各セグメントは長さが４つのタイムスロットであるため、所定のインターレースのサブパケットの最後と同じインターレースの次のサブパケットの最初との間には８つのタイムスロットが存在する。
【００２５】
同じインターレースのサブパケット間の時間の長さ（例えば図３の８つのタイムスロット）は、典型的には、基地局１０４が（ａ）受信されたサブパケットからのパケットの復号を試みること、（ｂ）受信されたサブパケットから正確にパケットが復号されたかどうかを決定すること、及び（ｃ）ユーザー端末１０６が前記インターレースの次のサブパケットを送信する前に肯定応答（ＡＣＫ）メッセージ又は否定応答（ＮＡＣＫ）メッセージをユーザー端末１０６に戻すこと、を可能にする上で十分である。パケットが正確に復号されなかったことを基地局１０４がユーザー端末１０６に通知した場合は、ユーザー端末１０６は、最大数のサブパケット（例えば４）にまだ達していない場合は同じパケットの他のサブパケットを送信する。パケットが正確に復号された場合は、ユーザー端末１０６は、新たなパケットの第１のサブパケットを送信することができる。
【００２６】
例えば、図３において、ユーザー端末１０６は、インターレース１の第１のセグメント中にサブパケット０を基地局１０４に送信する。基地局１０４は、受信されたパケット０から適切にパケットを復号することができず、ユーザー端末１０６がインターレース１の次のサブパケットを送信する前にＮＡＣＫメッセージをユーザー端末１０６に送信する。ユーザー端末１０６は、インターレース１の第２のセグメント中にサブパケット’０を基地局１０４に送信する。このプロセスは、基地局１０４が第４の受信されたサブパケット０’’’からのパケットを適切に復号してユーザー端末１０６にＡＣＫメッセージを戻すまで繰り返す。次に、ユーザー端末１０６は、インターレース１内の他のパケットであるパケット６のサブパケットを送信する。
【００２７】
次に、インターレーシングされた送信に適用されるハイブリッド自動再送要求（Ｈ−ＡＲＱ）について説明される。Ｈ−ＡＲＱは、チャネル又は干渉が所定のインターレースの１つのサブパケットと前記所定のインターレースの次のサブパケットの間で時間的に変化するときに無線通信システムの容量を有意な形で増大させることができる。１ｘＥＶ−ＤＯのＲｅｖｉｓｉｏｎ  Ａ（改訂Ａ）では、Ｈ−ＡＲＱ及びインターレースは、時分割多重化（ＴＤＭ）順方向リンク（ＦＬ）及び符号分割多重化（ＣＤＭ）逆方向リンク（ＲＬ）の両方において用いられる。
【００２８】
この１ｘＥＶ−ＤＯ  ＣＤＭＡ  ＲＬのデフォルトコンフィギュレーションは、送信すべきデータを有する各ユーザー端末１０６が３つのすべてのインターレースを用いることになる。Ｈ−ＡＲＱを用いるシステムのＣＤＭＡ  ＲＬにおいては、典型的実装は、各ユーザー端末１０６があらゆる数のインターレースにおいて送信可能にすることである。例えば、３つのインターレースを有するシステム、例えば、１ｘＥＶ−ＤＯ  Ｒｅｖｉｓｉｏｎ  Ａ  ＲＬ、では、送信すべきデータを有するユーザー端末１０６は、典型的には３つのすべてのインターレースにおいて送信することになる。この点において、インターレーシングは、逆方向リンク容量は増大させず、Ｈ−ＡＲＱの使用を可能にする。以下において説明される方法は、ＡＲＱの利点を限定するものではない。
【００２９】
以下において説明される方法は、ＣＤＭＡ逆方向リンク容量を増大させることができる複数のインターレースを使用するために選択的に（さらに一実施形態においては確率的に）複数のユーザー端末を割り当てる。一実施形態においては、部分組の送信中のユーザー端末１０６の受信された信号・干渉・雑音比（ＳＩＮＲ）（基地局１０４において測定した場合）が十分に高いときには、基地局１０４は、各ユーザー端末１０６を全インターレースに割り当てるデフォルトコンフィギュレーションの代わりに、インターレースを使用するＲＬユーザー端末１０６を選択的に割り当てることができる。例えば、この割当ては、ＲＬユーザー端末１０６の数が、受信基地局のアンテナ数にインターレース数を乗じた数よりも有意な数だけ多くないときに行うことができる。
【００３０】
基地局１０４は、ユーザー間干渉を抑止するために、パケット復調時に重みを結合させる最小平均二乗誤差（ＭＭＳＥ）を用いることができる。ＢＴＳ受信機は、各送信機のチャネルについての知識を有することになり、相関値の算出に基づいて計算を行うことができるため、各ユーザー端末によって得られた信号・干渉・雑音比を、他の１つのユーザー端末を取り除くことによって、すなわち前記ユーザー端末からの干渉を抑止することによって、見つけ出すことができる。ユーザー間干渉を抑止することは、１つのユーザー端末当たりのＳＩＮＲを、インターレースを使用するＲＬユーザー端末１０６を選択的に割り当てることが容量を増大させることになるような高さにすることができる。
【００３１】
前記通信システムの一例は、１つのセクター当たり１２以下のＲＬユーザー端末１０６と３つのＲＬインターレースを有することができ、各セクターは、４本の受信アンテナを採用する。さらに、一定のユーザー端末１０６が単独で送信時に高いＳＩＮＲを有する場合は、基地局１０４は、１つのインターレースをラウンドロビン方式で共有するようにこれらのユーザー端末１０６を割り当てることができる。
【００３２】
インターレースプレファレンスファクター（ＩＰＦ）
インターレースプレファレンスファクター（ＩＰＦ）は、送信準備が完了したデータを有するユーザー端末１０６が特定のインターレース中にデータを送信する確率を表すために本明細書において作られた造語である。各ＩＰＦは、０、１又は０乃至１の間の値に設定することができる。ＩＰＦが０乃至１の間の値に設定された場合は、ユーザー端末は、０乃至１の間で一様に分布された乱数を生成し、前記無作為で生成された数が前記ＩＰＦ値よりも小さいか又は等しい場合に前記特定のインターレースにおいてデータを送信する。例えば、０．５に設定されたＩＰＦは、ユーザー端末１０６が、特定のインターレースにおいてデータを送信するか又はデータを送信しないかを決定し、各選択に５０対５０の均等な重みを付けられることを意味する。ユーザー端末１０６は、０又は１の乱数を生成することができ、ここで、０は前記特定のインターレースにおいてデータを送信することを意味し、１は前記特定のインターレースにおいてデータを送信しないことを意味する。
【００３３】
他の例として、ＩＰＦが０．７に設定された場合は、ユーザー端末１０６は、０乃至１の間の乱数を生成することができる。ユーザー端末１０６が０．１、０．２、０．３、０．４、０．５、０．６又は０．７を生成する場合は、ユーザー端末１０６は、インターレースにおいてデータを送信する。ユーザー端末１０６が０．８、０．９又は１．０を生成する場合は、ユーザー端末１０６は、インターレースにおいてデータを送信しない。
【００３４】
図４は、ユーザー端末１０６がインターレースプレファレンスファクター（ＩＰＦ）を用いる方法を示す。ブロック４００において、ユーザー端末１０６は、例えば、基地局１０４からメッセージを受信することによって（下記）又はメモリ又はレジスタからＩＰＦを検索することによってインターレースＮに関するＩＰＦを決定する。ブロック４０２において、ユーザー端末１０６は、インターレースＮに関するＩＰＦに基づき、インターレースＮにおいてデータを送信するかどうかを決定する。例えば、ＩＰＦが０．５である場合は、ユーザー端末１０６は、０又は１を無作為に生成することができる。前記決定が肯定である場合は、ユーザー端末１０６は、ブロック４０４においてインターレースＮでデータを送信する。前記決定が否定である場合は、ユーザー端末１０６は、ブロック４０６においてＮを増してＮ＝Ｎ＋１にしさらにブロック４００に戻ることによって次のインターレースにおいてデータを送信するかどうかを決定する。
【００３５】
ブロック４０８において、ユーザー端末１０６は、時間が経過しているかどうか又は１つ以上のパケットが正確に復号されたことを示す肯定応答が基地局１０４から受信されているかどうかを決定する。前記決定が否定的である場合は、ユーザー端末１０６は、ブロック４０４においてインターレースでのデータ送信を継続させる。時間が経過しているか又は肯定応答が基地局１０４から受信されている場合は、ユーザー端末１０６は、ブロック４００又はブロック４０２に戻ることができる。
【００３６】
基地局１０４は、ＩＰＦをユーザー端末１０６に割り当てること及びチャネル状態が変化するか又は一定の時間が経過した場合にＩＰＦを修正することもできる。確率的性質を保持するために複数のユーザー端末１０６に関するＩＰＦ値を割り当てることは、性能を向上させることができる。
【００３７】
一例においては、通信システムは、３つのインターレース及び送信準備が整った状態のデータを持つ６つのユーザー端末１０６を有することができる。典型的ＣＤＭＡシステムは、各ユーザー端末１０６がすべてのインターレースにおいてデータを送信するのを可能にすることができ、その結果、各インターレースにおいて各ユーザー端末１０６に関して１のＩＰＦが割り当てられる。この割当ては下表１に示されている。
【００３８】
インターレース１    インターレース２  インターレース３
プレファレンス      プレファレンス    プレファレンス
ファクター          ファクター        ファクター
ユーザー１          １                  １                １
ユーザー２          １                  １                １
ユーザー３          １                  １                １
ユーザー４          １                  １                １
ユーザー５          １                  １                １
ユーザー６          １                  １                １
表１：  デフォルトインターレースプレファレンスファクター
表１の各行の合計は、ユーザー端末１０６によって用いられる予想インターレース数を表す。表１の各ユーザー端末１０６は、３つのすべてのインターレースにおいてデータを送信することが予想される。各列の合計は、特定のインターレースにおいて送信するユーザー端末１０６の予想数を表す。表１の各インターレースは、ＣＤＭＡを同時に用いてデータを送信する６つの予想されるユーザー端末１０６を有する。これらの行の合計及び列の合計は、１よりも大きくすることができる。
【００３９】
ユーザー端末１０６は電力を消費することに加えて雑音又は干渉を通信システムにおいて生成するおそれがあるため、すべてのユーザー端末１０６を同時に送信中の状態にするのは望ましくない場合がある。同時に送信する部分組の１つ以上のユーザー端末１０６を選択し、さらに各ユーザー端末１０６がある時点において送信する機会を与えるようにするのがより良い場合がある。一定のユーザー端末１０６は、例えば基地局１０４において受信されたＳＩＮＲに基づいて様々な状況下において同時に送信するように選択することができる。
【００４０】
表１の各項目は、基地局１０４（又は基地局コントローラ１０２）によって選択して０、１又は０乃至１の間の値に設定することができる（表５を用いて後述）。基地局１０４は、インターレース割当てを通知するメッセージをユーザー端末１０６に送信することができる。
【００４１】
３つのインターレースのうちの１つは単一のユーザー端末１０６がデータを送信するために予約されている場合は、所定の時点におけるＩＰＦ表は、表２のようになる。
【００４２】
インターレース１    インターレース２  インターレース３
プレファレンス      プレファレンス    プレファレンス
ファクター          ファクター        ファクター
ユーザー１          ０                  １                １
ユーザー２          ０                  １                １
ユーザー３          ０                  １                １
ユーザー４          １                  １                １
ユーザー５          ０                  １                １
ユーザー６          ０                  １                １
表２：  単一のユーザーがインターレースにおいて単独で送信するようになるインターレースプレファレンスファクター割当て例
ユーザー４が単独でデータを送信するために基地局１０４において測定されたＳＩＮＲが相対的に高い場合は、表２に示されるようにインターレース１をユーザー４のみに割り当てることは、ＲＬの容量を増大させることが可能である。
【００４３】
２つ以上のユーザー端末１０６が単独でデータを送信時に相対的に高いＳＩＮＲを有する場合は、基地局１０４は、スケジューリングされたモードにおいてラウンドロビン方式で１度に１つずつインターレース、例えばインターレース１、をこれらの高ＳＩＮＲユーザー端末に割り当てることができる。これらの高ＳＩＮＲユーザー端末は、送信すべきデータを有する全体の組のユーザー端末のうちの部分組を表す。従って、後続するある時点においては、ＩＰＦ表は表２と同一になる。ただし、インターレース１プレファレンスファクター列内の“１”は、ユーザー４から他の高ＳＩＮＲユーザーに移動する。表２は、インターレース１において送信することを許容されたユーザーはその他のインターレースにおいて送信することも許容されることを示しているが、要求条件ではない。
【００４４】
１つのインターレースが単一のユーザー端末による送信用に予約された状態でのＩＰＦに関する１ｘＥＶ−ＤＯ Ｒｅｖｉｓｉｏｎ  Ａ動作例
この例における最終目標は、表２に示されるように、単独で送信時に相対的に高いＳＩＮＲを有するユーザー端末１０６がインターレース１を共有すること及びすべてのユーザーがインターレース２及び３において送信することである。代替として、他の実施形態においては、高ＳＩＮＲユーザーにこれらの３つのインターレースのうちの２つにおいて単独で送信させることも可能である。１ｘＥＶ−ＤＯシステムにおいては、単独で送信時にいずれかのＲＬユーザーが高いＳＩＮＲを有することになるかをＢＴＳが予測するための幾つかの方法が存在することができ、例えば（ａ）ＦＬｓｉｎｒ（順方向リンク信号・干渉・雑音比に関する変数）を用いるか又はＡｃｔｉｖｅＳｅｔＳｉｚｅ（現在の接続に関して用いられている異なる基地局からのパイロット信号リストであるアクティブセットの大きさ）を有するデータ速度制御（ＤＲＣ）値を用いる、又は（ｂ）ラウンドロビン方式、又は最良の短期の（フィルタリングされた）ＦＬｓｉｎｒを有するユーザー端末１０６を選択する、等である。  
単一のユーザーのみがインターレース１において送信してすべてのユーザーがインターレース２及び３において送信するように構成される１ｘＥＶ−ＤＯシステムに関しては、ＩＰＦメディアアクセス制御（ＭＡＣ）動作機構は以下を含むことができる。
【００４５】
制御チャネルにおいては、基地局１０４は、（ａ）（ＩＰＦを用いて）１つのセクター内の全ユーザー端末１０６にＩＰＦモードを通知すること、（ｂ）単一のユーザー端末１０６が送信するためにどのインターレースを使用するかを指定すること（例えば、この例ではインターレース１）、及び（ｃ）サブフレーム境界においてすべてのユーザー端末１０６を同期化することができる。
【００４６】
許可チャネルにおいて、基地局１０４は、（ａ）１つのユーザー端末１０６をインターレース１に割り当てること、（ｂ）（インターレース１のみに用いられる）トラフィックツーパイロット（Ｔ２Ｐ）及びＴ２Ｐ＿ｈｏｌｄ信号を含む許可メッセージを送信すること、及び（ｃ）良好なチャネルのユーザー端末１０６がインターレース１を共有できるように定期的に前記許可メッセージを更新することができる。インターレース割り当て属性は、一般的属性更新プロトコル（ＧＡＵＰ）を通じて更新することができる。
【００４７】
インターレース２及び３において送信中の全ユーザー端末１０６は、インターレース１において送信時に典型的１ｘＥＶ−ＤＯ  Ｒｅｖｉｓｉｏｎ  Ａ  ＣＤＭＡ  ＭＡＣを実行することができる。具体的には、非送信ユーザー端末１０６のβ率（１ｘＥＶ−ＤＯ  Ｒｅｖ  Ａ基準においては、現在のパケット送信のβとトラフィックツーパイロット（Ｔ２Ｐ）の比であると定義されている）は、インターレース１中にはゼロに設定することができる。ユーザー端末１０６において、（ＢｅｓｔＦＬＳｅｃｔｏｒからの）クイックリバースアクティビティビット（ＱＲＡＢ）とフィルタードリバースアクティビティビット（ＦＲＡＢ）、バケットレベル及びＴ２Ｐレベルをフリーズさせることができる。基地局（ＢＴＳ）１０４においては、ライズオーバーサーマル（ＲＯＴ）フィルタ及びビジービット決定をフリーズさせることができる。
【００４８】
干渉抑止
基地局１０４がＲＬ干渉を抑止できる場合、例えば、ユーザー間干渉を抑止するためにパケットを復調時に最小平均二乗誤差（ＭＭＳＥ）及び重みの結合を可能にするアンテナアレイを有する基地局である場合は、基地局１０４は、各インターレースにおいて複数の（ただし必ずしもすべてではない）ユーザー端末１０６を同時に割り当てることができる。表３は、２つのユーザー端末１０６が各インターレースに割り当てられている例を示す。
【００４９】
インターレース１    インターレース２  インターレース３
プレファレンス      プレファレンス    プレファレンス
ファクター          ファクター        ファクター
ユーザー１          ０                  １                ０
ユーザー２          １                  ０                ０
ユーザー３          ０                  ０                １
ユーザー４          ０                  １                ０
ユーザー５          １                  ０                ０
ユーザー６          ０                  ０                １
表３：各インターレースごとに２つのＲＬユーザーを割り当てる例
ＭＭＳＥ受信機は、ユーザー端末１０６が基地局１０４に関する方位角で分離されており（例えば図６参照）、マルチパス伝搬がほとんど存在しないときにユーザー端末１０６間における干渉を有効に極小化することができる。前記システムの一例は、地上基地局が飛行中の飛行機と通信するネットワークである。
【００５０】
ＳＩＮＲ予測に基づくインターレースへのユーザー端末割当て
以下では、ユーザー端末１０６を選択して複数のインターレースに割り当てる一般的方法が最初に説明され、その後に３つのインターレース及び６つのユーザー端末１０６を用いた具体例が示される。
【００５１】
図５は、ユーザー端末１０６を選択して複数のインターレースに割り当てる方法を示す。ブロック５００において、基地局１０４は、複数のユーザー端末１０６から無線送信された信号を受信して処理する。
【００５２】
ブロック５０２において、基地局１０４は、いずれか２つの（それ以上の）ユーザー端末１０６が互いの信号と最も強く干渉する信号を送信したか（又は送信するか）を決定する（又は予測する）。これらのユーザー端末１０６を決定する方法は２つ以上存在することができる。一プロセスにおいては、基地局１０４は、セルから取り除いたときに前記セル（又は前記セルのセクター）内において送信中の第１のユーザー端末１０６のＳＩＮＲが最高になるユーザー端末１０６を見つけ出すために、前記セル（又はセクター）内の他の１つのユーザー端末１０６の送信なしに前記第１のユーザー端末１０６のＳＩＮＲを一度に１つずつ決定する。基地局１０４は、互いに最も強く干渉する２つのユーザー端末を見つけ出すためにこのプロセスを繰り返す。
【００５３】
以下の方程式において、ＳＩＮＲ（ｉ）は、すべてのユーザー端末がセル内（又は対応するインターレース内）に存在するときのユーザー端末ｉのＳＩＮＲを表す。ＳＩＮＲ（ｊ）（ｉ）は、ユーザー端末ｊからの送信が除去されるか又は無視されたユーザー端末ｉのＳＩＮＲを表す。基地局１０４は、ブロック５０２においていずれか２つのユーザー端末が互いに最も強く干渉するかを決定し、ブロック５０４においてこれらの２つのユーザー端末を２つの異なるインターレース（例えば、インターレース１及び２）に割り当てる。Ｉｋは、インターレースｋに割り当てられたユーザーを表す。これで、インターレース１及び２に割り当てられたユーザーは次式のように表すことができる。
【数１】
2008516526.tif 000003
【００５４】
基地局１０４がインターレース１及び２に割り当てる最初の２つのユーザー端末を決定後は、基地局１０４は、ブロック５０６において互いの信号と最も強く干渉する信号を送信する残りのユーザー端末を異なるインターレースに割り当てる。例えば、基地局１０４は、いずれかのユーザー端末がインターレース３に割り当てられることによって最も高いＳＩＮＲ利得を有するかを決定する。基地局１０４は、この第３のユーザー端末をインターレース３に割り当てる。
【数２】
2008516526.tif 000004
【００５５】
基地局は、（正規化された）合計のＳＩＮＲに与える影響が最も小さいユーザー端末を選択する代わりに、最低のＳＩＮＲに影響を与えるユーザー端末を選択することができる。
【数３】
2008516526.tif 000005
【００５６】
これで、各ユーザー端末は、前記各ユーザー端末が最も弱い干渉を引き起こすインターレースを使用するように連続的に割り当てられる。
【数４】
2008516526.tif 000006
【００５７】
２つのユーザー（又はインターレース）が新たなユーザーの追加／除去によって同じＳＩＮＲ利得を有する場合は、基地局１０４は、例えば公平な当て推量によって無作為な選択を行う。この方法は、所定の最大送信電力に関する全体的な達成されたＳＩＮＲを高くすることができ、各インターレースに最初に割り当てられたユーザー端末の選択に依存する。
【００５８】
ブロック５０８において、基地局１０４は、割り当てられたインターレースを知らせるためのメッセージをユーザー端末に送信する。
【００５９】
次に、図６に示されるように、複数のインターレースを用いるユーザー端末１０６を選択して割り当てる一具体例が、基地局に関するセルのセクター内に空間配置された６つのユーザー端末ｕ１乃至ｕ６を用いて説明される。図６の各ユーザー端末１０６の隣の数字は、基地局１０４を通って引かれた想像上の水平線からの方位角を表す。表４は、このインターレース割り当て例を示す。Ｉ１、Ｉ２及びＩ３のラベルが付された中央の３つの列は、インターレース１、２及び３に割り当てられたユーザーを表す。
【表１】
2008516526.tif 000007
【００６０】
すべてのユーザー端末１０６は、ＳＩＮＲ予測に基づくインターレース割当てを行うために１つのインターレースにおいて短い時間定期的に送信する必要がある。
【００６１】
図７は、図４及び５の方法を実装することができる図１及び２のユーザー端末及び基地局内の幾つかの構成要素を示す。これらの構成要素は、後述されるように、ソフトウェア、ハードウェア又はハードウェアとソフトウェアの組合せによって実装することができる。ユーザー端末１０６に関して、図７のインターレースプレファレンスファクター決定装置７００は、図４のブロック４００及び４０６において上述される機能を実装することができる。送信決定装置７０２は、図４のブロック４０２において上述される機能を実装することができる。送信機２１８は、図４のブロック４０４において上述される機能を実装することができる。時間追跡装置７０４，肯定応答検出器７０６及び受信機７０８は、図４のブロック４０８において上述される機能を実装することができる。
【００６２】
基地局１０４に関して、図７の受信機２５２は、図５のブロック５００において上述される機能を実装することができる。干渉決定装置７２２は、図５のブロック５０２において上述される機能を実装することができる。インターレース割当て装置７２４は、図５のブロック５０４及び５０６において上述される機能を実装することができる。送信機７２０は、図５のブロック５０８において上述される機能を実装することができる。
【００６３】
０乃至１の間のＩＰＦ値
上述されるように、ＩＰＦ値は、ユーザー端末１０６が所定のＲＬインターレースにおいて送信する（例えば、基地局１０４によって割り当てられた）確率を表す。上例のほとんどは、ユーザー端末１０６が所定のインターレースにおいて送信するか又は送信しないことに対応する０及び１のＩＰＦ値を用いる。その他の実施形態においては、０乃至１の間のＩＰＦ値を割り当てることが可能である。例えば、０．５のＩＰＦ値は、ユーザー端末１０６が特定のインターレースにおいてデータを送信するか送信しないかの決定を無作為に行い、各選択には５０対５０の重みが均等に付けられることを示す（すなわち、ユーザー端末は、コインを投げて表が出るか裏が出るかに基づいて、前記インターレースにおいて送信するかどうかを決定する）。
【００６４】
表５は、０乃至１の間のＩＰＦ値をユーザー端末１０６に割り当てる基地局１０４の例を示す。各行の合計は、ユーザー端末１０６によって用いられる予想インターレース数を表し、各列の合計は、所定のインターレースを用いる予想ユーザー数を表す。ユーザー端末は、２つ以上のインターレースにおいてパケットを送信することができるため、これらの行の合計は１である必要はない。表５内の列の合計がほぼ等しくなるような形でＩＰＦを割り当てることによってこれらの３つのインターレースの負荷を均等化する、すなわち全インターレースを均等に用いるように試みる、のが効率的であると思われる。
【００６５】
インターレース１    インターレース２  インターレース３
プレファレンス      プレファレンス    プレファレンス
ファクター          ファクター        ファクター
ユーザー１          ０．５          ０．５            １
ユーザー２          ０．５          ０．５            １
ユーザー３          ０．２          ０．７            ０．１
ユーザー４          ０．７          ０．１            ０．２
ユーザー５          ０．１          ０．２            ０．７
ユーザー６          ０．３          ０．３            ０．３
ユーザー７          ０．１          ０．２            ０．７
表５：  ０乃至１の間のＩＰＦ値の一例
基地局１０４が個々のユーザーチャネルについてよく知らない場合は、確率的な性質を保持するためにＩＰＦ値を割り当てることは性能を向上させることができる。この割り当ては、ＩＰＦ値が０又は１であるときのユーザー端末１０６の決定方式による動作と対照的である。
【００６６】
ユーザー端末１０６に関するＩＰＦを決定又は選択する方法はいくつか存在している。上述されるように、一方法は、ユーザー端末１０６のＳＩＮＲを決定することを含む。他の方法は、基地局１０４が逆方向リンク送信の検出されたデータ速度、そしておそらくデータ送信の型、例えば音声、データ、映像、等、に従ってＩＰＦを割り当てることを具備する。データ送信の型は、検出されたデータ速度によって推測することができる。
【００６７】
上述される方法の様々な動作およびパラメータは、本開示の適用範囲を逸脱せずに変更することができる。例えば、前記方法は、あらゆる数のインターレース、あらゆる数のユーザー端末１０６、あらゆる数の基地局１０４、１つ以上のセクター又はセル、あらゆる型のチャネル、例えば、制御チャネル、トラフィックチャネル、等、及びあらゆる型のユーザー端末１０６、例えばモバイルデバイス、静止デバイス、ＣＤＭＡ専用デバイス、ＣＤＭＡ及びその他の型の多重接続技術、例えばＧＳＭ、等に関して適合化されたデュアルモードデバイス、等、とともに実装することができる。
【００６８】
上述される方法は、様々な無線通信システムにおいて用いることができる。例えば、これらの技術は、様々なＣＤＭＡシステム（ＩＳ−９５、ＣＤＭＡ  ２０００、ＣＤＭＡ ２０００  １ｘＥＶ−ＤＶ、ＣＤＭＡ  ２０００  １ｘＥＶ−ＤＯ、ＷＣＤＭＡ、ＴＤ−ＳＣＤＭＡ、ＴＳ−ＣＤＭＡ、等）、パーソナル通信サービス（ＰＣＳ）システム（ＡＮＳＩ Ｊ−ＳＴＤ−００８、等）、及びその他の無線通信システムに関して用いることができる。
【００６９】
上述される方法は、ユーザー端末１０６、基地局１０４及び／又はシステムコントローラ１０２内の１つ以上のソフトウェア又はハードウェア構成要素によって実行することができる（図１）。前記構成要素は、プロセッサ、メモリ、ソフトウェア、ファームウェア又はその何らかの組合せを含むことができる。ハードウェア設計に関しては、上述される方法は、１つ以上の特定用途向け集積回路（ＡＳＩＣ）、デジタル信号プロセッサ（ＤＳＰ）、デジタル信号処理装置（ＤＳＰＤ）、フィールドプログラマブルゲートアレイ（ＦＰＧＡ）、プロセッサ、マイクロプロセッサ、コントローラ、マイクロコントローラ、プログラミング可能論理装置（ＰＬＤ）、その他の電子装置、又はその組合せの中に実装することができる。
【００７０】
ソフトウェア内に実装する場合は、前記方法は、本明細書において説明される機能を果たすモジュール（例えば、手順、関数、等）とともに実装することができる。ソフトウェアコードは、メモリ装置（例えば、図２のメモリ装置２６２）に格納し、プロセッサ（例えば、プロセッサ２６０）によって実行することができる。前記メモリ装置は、プロセッサ内に実装すること又はプロセッサの外部に実装することができ、プロセッサの外部に実装する場合は、当業において知られるように様々な手段を介して通信可能な形でプロセッサに結合させることができる。
【００７１】
これらの実施形態に対する様々な修正は、当業者によって容易に理解されるであろう。さらに、本明細書において定められている一般原理は、本開示の精神及び適用範囲を逸脱しない形でその他の実施形態に対しても適用することができる。例えば、上述される側面及び実施形態の一部は逆方向リンクに適用されたが、様々な側面及び実施形態を順方向リンクに対して適用することができる。以上のように、本発明は、本明細書において示されている実施形態に限定することを意図するものではなく、本明細書において開示されている原理及び斬新な特長に一致する限りにおいて最も広範な適用範囲が認められるべきである。
【図面の簡単な説明】
【００７２】
【図１】無線通信システムを示した図である。
【図２】ユーザー端末及び基地局の実施形態を示した図である。
【図３】逆方向リンクインターレーシング構造及び対応する順方向リンクインターレーシング構造の例を示した図である。
【図４】ユーザー端末がインターレースプレファレンスファクターを用いる方法を示した図である。
【図５】ユーザー端末を選択して複数のインターレースに割り当てる方法を示した図である。
【図６】基地局に関するセルのセクター内に空間配置された６つのユーザー端末ｕ１乃至ｕ5を示した図である。
【図７】図４及び図５の方法を実装することができる図１及び図２のユーザー端末及び基地局内の幾つかの構成要素を示した図である。
【図１】
2008516526.tif 000008
【図２】
2008516526.tif 000009
【図３】
2008516526.tif 000010
【図４】
2008516526.tif 000011
【図５】
2008516526.tif 000012
【図６】
2008516526.tif 000013
【図７】
2008516526.tif 000014
【国際調査報告】
2008516526.tif 000015
2008516526.tif 000016
2008516526.tif 000017